(57)【要約】【課題】脱酸素剤や酸化防止剤などを封入する必要がなく、手軽に使用でき、内容物が液状であっても粘稠性であっても酸化を防止でき、すぐれた保存効果を奏する化粧料容器の構造を提供する。【解決手段】外蓋に螺合するネジ部を側壁の上部の外面に設けてあると共に側壁の内面にもネジ切りしてある円筒状の容器本体と、容器本体の内面のネジに螺合するネジ部を外側面に有すると共に内外に通ずる細孔を天面に設けてあり、好ましくは天面につまみ部を形成してある中蓋と、容器本体の上部のネジ部に螺合して中蓋を覆い、容器本体を気密状態に維持する外蓋とからなる化粧料容器。容器本体と中蓋と外蓋を酸素バリヤー性を有する材料で製することが好ましい。【選択図】　図１
0003097427.tif 000002
【実用新案登録請求の範囲】
【請求項１】
外蓋に螺合するネジ部を側壁の外面の上部に設けてあると共に側壁の内面にもネジ切りしてある円筒状の容器本体と、容器本体の内面のネジに螺合するネジ部を外側面に有すると共に内外に通ずる細孔を天面に設けてある中蓋と、容器本体の上部のネジ部に螺合して中蓋を覆い、容器本体を気密状態に維持する外蓋とからなる化粧料容器。
【請求項２】
中蓋の天面に回動用のつまみ部を形成してある請求項１に記載の化粧料容器。
【請求項３】
容器本体の側壁の内面の全面にネジ切りしてある請求項１又は２に記載の化粧料容器。
【請求項４】
容器本体と中蓋と外蓋を、それぞれ酸素バリヤー性を有する材料で製してある請求項１から３のいずれかに記載の化粧料容器。
【請求項５】
容器本体の内容物の容量の減少に応じて内容物の表面に接するように中蓋を下降させることによって内容物と空気との接触を遮断できる請求項１から４のいずれかに記載の化粧料容器。
【請求項６】
容器本体の内容物の表面に窒素ガス層を形成して内容物と空気との接触を遮断できる請求項１から５のいずれかに記載の化粧料容器。
【請求項７】
粘稠性を有する化粧料を収納するために用いる請求項１から６のいずれかに記載の化粧料容器。
【考案の詳細な説明】
【０００１】
【考案の属する技術分野】
本考案は化粧料容器に関する。詳しくは、容器本体と中蓋と外蓋とで構成し、脱酸素剤や酸化防止剤を用いることなく、内容物の酸化を防止できる構造の化粧料容器に関する。さらに詳しくは、内容物たる化粧料を空気の接触から常時遮断すると共に内容物を空気に接触することなく取り出すことができる構造の容器に関する。本考案に係る化粧料容器は、化粧料全般の収納・保存に使用できるが、粘稠性を有する化粧料を収納・保存するのに特に適している。
【０００２】
一般に、化粧料（いわゆる化粧品を含む。）は、温度、紫外線、空気、微生物などの外的要因によってきわめて変性しやすいが、容易に変性させてはならないものである。すなわち、クリームや乳液などの油性化粧料はもとより、化粧水などの水性化粧料についても、品質が変性しないように、製造後の保存には十分な管理が必要である。そのため、化粧料用の容器は、これら外的要因に影響されないような構造にすべきところ、外見の見栄えに配慮した容器は多いが、品質の変性防止に工夫した構造の化粧料容器は案外少ないのが現状である。最近は、化粧料の酸化防止対策を、容器の本体や蓋に酸化防止剤や脱酸素剤を封入することで解決しようとする容器も多い。しかし、化粧料に酸化防止剤や脱酸素剤を使用することは、コストアップにつながると共に、内容物たる化粧料の品質に影響を与えるおそれがあるので、好ましいことではない。
【０００３】
【従来の技術】
【特許文献１】特開平５−３１０２７５号公報
【特許文献２】特開平６−３０１１８９号公報
【特許文献３】登録実用新案第３０６３２２２号公報
【特許文献４】登録実用新案第３０８８８９０号公報
【０００４】
特許公報や実用新案登録公報を調べると、酸化防止に配慮した化粧料や飲食品の容器に関する発明・考案が多数出願されている。例えば、特開平５−３１０２７５号公報には、通気性材料で包装した脱酸素剤をガス透過性の低い包装容器の内面に装着した化粧品類用容器について開示されている。また、登録実用新案第３０８８８９０号公報には、フタ又は容器の一方に酸化防止剤、吸湿防止剤、腐敗防止剤のうち１種類又は数種類が容易に装着・脱着できるような構造を有する食品その他を入れる容器とフタに関して開示されている。これらの公報に見るように、脱酸素剤や酸化防止剤を容器本体又は蓋に装着して酸化防止効果をあげるように工夫した容器に関する発明や考案の出願はきわめて多い。
【０００５】
次いで、特開平６−３０１１８９号公報には、柔軟性のある容器本体の少なくとも一部を蛇腹状に形成すると共に硬質の口部とこれに係合する蓋部材により開閉される液体用容器について開示されている。この考案は、内部の液体を排出するごとに蛇腹部を縮めて減容化させる容器の構造であり、内容物の減容に応じて容量を減少させる点では本考案と同じであるが、内容物が液体に限られる上、蛇腹部の伸縮によって内容量の縮小又は拡張を図るのでは空気の完全排除が困難であり、十分な酸化防止効果を奏することができない。また、登録実用新案第３０６３２２２号公報には、アルコール飲料、清涼飲料、液体調味料、ゼリー或いは固形状物などを収納した容器について、その開封後、容器内に袋を挿入し、その袋内に空気を導いて膨脹させ、その袋を容器の内壁面と残存内容物とに密着させて袋外の空気を排除して密封し、残存内容物を空気と遮断して容器内残存内容物の酸化防止を図る容器の構造について開示されている。この考案は、容器内の空気を排除して残存内容物の酸化防止を図る点では本考案と同じであるが、上記のとおり、構造や操作が複雑であり、容器内に袋を挿入してその袋内に空気を導入するなどの点で酸化防止の実効性に大いに疑問がある。
【０００６】
上記公知例に見るとおり、簡単な構造で、しかも使用しやすく、脱酸素剤や酸化防止剤に依存しないでも、内容物の酸化を確実に防止できる構造の化粧料容器は未だ開発されていない状況にある。
【０００７】
上記の事情に鑑み、本考案者は、脱酸素剤や酸化防止剤を用いないでも内容物の酸化を防止でき、品質の変性を防止できる化粧料容器の構造の開発を指向し、鋭意研究の結果、本考案を開発することができた。
【０００８】
すなわち、本考案は、脱酸素剤や酸化防止剤などを封入する必要がなく、手軽に使用でき、内容物が液状であっても粘稠性のものであっても酸化を防止でき、すぐれた保存効果を奏する化粧料容器の構造を提供することを課題とする。
【０００９】
上記の課題を解決するための本考案のうち、請求項１に記載する考案は、外蓋に螺合するネジ部を側壁の外面の上部に設けてあると共に側壁の内面にもネジ切りしてある円筒状の容器本体と、容器本体の内面のネジに螺合するネジ部を外側面に有すると共に内外に通ずる細孔を天面に設けてある中蓋と、容器本体の上部のネジ部に螺合して中蓋を覆い、容器本体を気密状態に維持する外蓋とからなる化粧料容器である。
【００１０】
また、請求項２に記載する考案は、請求項１に記載の容器において、中蓋の天面に回動用のつまみ部を形成してある化粧料容器である。
【００１１】
また、請求項３に記載する考案は、請求項１又は２に記載の容器において、容器本体の側壁の内面の全面にネジ切りしてある化粧料容器である。
【００１２】
さらに、請求項４に記載する考案は、請求項１から３のいずれかに記載の容器において、容器本体と中蓋と外蓋を、それぞれ酸素バリヤー性を有する材料で製してある化粧料容器である。
【００１３】
さらに、請求項５に記載する考案は、請求項１から４のいずれかに記載の容器において、容器本体の内容物の容量の減少に応じて内容物の表面に接するように中蓋を下降させることによって内容物と空気との接触を遮断できる化粧料容器である。
【００１４】
さらに、請求項６に記載する考案は、請求項１から５のいずれかに記載の容器において、容器本体の内容物の表面に窒素ガス層を形成して内容物と空気との接触を遮断できる化粧料容器である。
【００１５】
さらに、請求項７に記載する考案は、請求項１から６のいずれかに記載の容器において、粘稠性を有する化粧料を収納するために用いる化粧料容器である。
【００１６】
【作用】
本考案に係る化粧料容器は、上記の構成からなるので、容器本体にクリームなどの化粧料を適量収納して、容器本体の内面のネジに中蓋のネジ部を螺合させ、中蓋の天面に設けたつまみ部を回動すると、中蓋は、天面の細孔から空気を排出しながら容器本体の側壁にそって回転しながら下降し、中蓋の天面の内面が容器本体に収納されている内容物の表面に接触する。したがって、容器本体内の内容物の表面にあった空気は全て排出され、内容物の表面が空気と遮断される。この状態で、容器本体の上部のネジ部に外蓋を螺合すると、外蓋は、中蓋を覆った状態で容器本体を密封するので、容器本体は中蓋と外蓋によって二重に密封されることになり、内容物が空気と接触することを確実に遮断できる。本考案に係る化粧料容器は、この状態のまま保存できるので、常時、内容物を空気から遮断した状態で保存し続けることができる。
【００１７】
内容物である化粧料を使用するときは、外蓋を外し、中蓋のつまみ部を少し回動すると、中蓋が下降して、その内面が内容物を押し下げるので、内容物の適量が中蓋の天面に設けた細孔から押し出されることによって容易に取り出すことができる。このとき、内容物の表面には空気が残存していないので、内容物を空気と接触させることなく取り出すことができる。
【００１８】
さらに、内容物を収納するとき、内容物の上に窒素ガスを充填すると、窒素ガスは空気よりも重い上に反応性に乏しいので、内容物の表面に溜まっている空気を排除してその表面を窒素ガスで覆うことになり、内容物の表面が平坦でなくても、空気の層を確実に遮断できる。したがって、内容物の酸化抑制効果はさらに大きくなる。
【００１９】
このように、本考案に係る化粧料容器は、簡単な構造でありながら、内容物と空気の接触を確実に遮断できる工夫がしてあり、しかも、内容物を空気と接触させることなく、容易に取り出すことができる。したがって、本考案に係る化粧料容器は、酸化防止剤や脱酸素剤を使用する必要がなく、手軽に使用でき、内容物の酸化を抑制する効果が大きい。
【００２０】
以下、本考案に係る化粧料容器について、実施例に基づき図面を参照しながらさらに詳細に説明する。
図１は、本考案に係る化粧料容器の一例についての説明図であり、図２は、その中蓋の平面図である。
【００２１】
【実施例１】
図１において、１は、陶製で円筒状の容器本体であり、クリームなどを入れる通常の容器と同じ程度の大きさである。容器本体１は、側壁１１と底壁１２とで構成され、側壁１１の内面の全面にはネジ１３が切ってある。また、容器本体１の側壁１１の上部の外面には外蓋３のネジ部３３と螺合するネジ部１４が設けてある。
【００２２】
図１において、２は、側壁の全面に設けたネジ部２１であり、天面（頂部）２２の中央をやや突出させた形状の陶製の中蓋である。中蓋２のネジ部２１は容器本体１の側壁１１の内面に設けたネジ１３と螺合するようにしてある。
また、図２において、２３は、中蓋２の天面２２に設けたつまみ部である。したがって、中蓋２は、つまみ部２３をつまんで、その側壁のネジ部２１を容器本体１の側壁１１の内面に設けたネジ１３に螺合させ、つまみ部２３を回動することによって中蓋２を容器本体１の側壁１１にそって上下させることができる。また、２４は、中蓋２の天面２２の略中央に設けた細孔である。中蓋２の細孔２４は、中蓋２の内外を貫通している。
【００２３】
図１において、３は、天面３１と側壁３２で構成する陶製の外蓋である。外蓋３の側壁３２の内面には、容器本体１の上部の外壁に設けたネジ部１４と螺合するネジ３３を設けてある。したがって、外蓋３は、容器本体１に被せると、その側壁３２のネジ３３が容器本体１のネジ部１４に螺合して、中蓋２を覆った状態で容器本体１を密封することができる。
【００２４】
上記のとおり、本実施例の化粧料容器は、容器本体１と中蓋２と外蓋３で構成されている。すなわち、容器本体１の内面のネジ１３に中蓋２のネジ部２１を螺合させ、さらに容器本体１の上部に設けたネジ部１４に外蓋３のネジ３３を螺合すると、容器本体１は、中蓋２と外蓋３によって二重に密封された状態となり、十分な気密状態を維持し続けることができる。
【００２５】
容器本体１に、例えば、粘稠性を有するクリームを封入して保存するとき、まず、容器本体１に適量のクリームを収納して中蓋２のネジ部２１を容器本体１の内面のネジ１３に螺合させ、中蓋２のつまみ部２３を回動すると、中蓋２は回転しながら容器本体１の側壁１１にそって回転しながら下降し、中蓋２の天面２２に設けた細孔２４から空気を排出して、天面２２の内面が封入したクリームの表面に接触する。すなわち、クリームの表面にあった空気は中蓋２の細孔２４から排出され、クリームと空気の接触は以後遮断される。中蓋２をさらに回動させると、細孔２４から内容物であるクリームが少し押し出される。クリームを使用するときは、このように、中蓋２を回動させて適量づつ押し出すことによって、クリームを空気に接触させない状態で取り出すことができる。クリームを使用した後は、外蓋３を容器本体１に被せて、そのネジ３３を容器本体１の上部のネジ部１４に螺合し、中蓋２を覆った状態で密封する。そうすると、容器本体１は、確実に気密状態を維持し続けることができる。
【００２６】
本実施例の容器では、容器本体にクリームを収納してから、その表面に窒素ガスを充填し、中蓋２を螺合させると、窒素ガスは空気よりも重い上に反応性に乏しいので、クリームの表面の空気が窒素ガスによって排除されて、クリームの表面には常時窒素ガスの層が設けられている状態になるので、クリームの表面が平坦でないときでも空気を確実に遮断できる。したがって、容器本体に収納したクリームの酸化防止効果をさらに高めることができる。
【００２７】
上記の実施例では、容器本体も中蓋も外蓋も、陶製の素材で製したものを使用したが、本考案の容器本体と中蓋と外蓋の材質はこれに限るものではなく、ガラスをはじめ、ポリアクリルニトリル、ポリエチレンテレフタレート、ポリアミドなどの非通気性合成樹脂など酸素バリヤー性を有する素材であれば、何を使用しても差し支えない。
【００２８】
上記の実施例では、天面の中央につまみ部を有する中蓋を使用した。中蓋につまみ部を形成すると操作が容易となるが、要は、中蓋を回動できればよいので、他の方法を採用してもよく、つまみ部は必ず設けなければならないということはない。また、容器本体の側壁の内面のネジ切りは、側壁の上から下まで全面にわたって設けることが好ましいが、内容物の性質や使用・収納方法によっては必ずしも全面にネジ切りしなくてもよい。
【００２９】
本考案に係る化粧料容器は、少しづつ押し出して使用するのに適しているクリーム、乳液、ヘアクリームなどの粘稠性化粧料にも使用する方が使いやすく、保存効果も高いが、化粧水、ヘアトニック、オーデコロンなどの水性化粧料にも使用できる。
【００３０】
【考案の効果】
以上、詳細に説明するとおり、本考案に係る化粧料容器は、内容物の表面の空気を排除して、空気を遮断した状態を維持できるので内容物の酸化を確実に防止できる。しかも、容器本体が外蓋と中蓋によって二重に密封されるので、気密性が高く、内容物を空気と遮断した状態で長期間保存し続けることができる。
また、本考案に係る化粧料容器は、中蓋のつまみ部を回動するだけで、適量の内容物を空気と接触させることなく取り出すことができ、しかも、内容物を取り出した後は、中蓋はそのままにして、外蓋を被せてネジ部を螺合するだけでよいから、すこぶるる手軽に使用できる。
【００３１】
本考案に係る化粧料容器は、クリーム等の粘稠性の化粧料はもとより、化粧水などの水性化粧料にも使用できるから、その用途は広い。
以上のとおりであって、本考案に係る化粧料容器は、酸化しやすい各種化粧料の保存容器としてすこぶる有用であり、重宝に使用できる。
【図面の簡単な説明】
【図１】本考案に係る化粧料容器の一例についての説明図
【図２】本考案に係る化粧料容器の中蓋の一例の平面図
【符号の説明】
１：容器本体、　１１：容器本体の側壁、　１２：容器本体の底壁、
１３：容器本体の内面に切ったネジ、　１４：容器本体の上部のネジ部
２：中蓋、　２１：中蓋のネジ部、　２２：中蓋の天面、　２３：中蓋のつまみ部、
２４：中蓋の天面の細孔、
３：外蓋、　３１：外蓋の天面、　３２：外蓋の側壁、
３３：外蓋の内面に設けたネジ
【図１】
0003097427.tif 000003
【図２】
0003097427.tif 000004